(57)【要約】      （修正有）【課題】同じグループ識別子を有する仲間の電話番号等のアドレス情報の配信・収集が個々の端末の通信に伴って自動的に実行されるアドレス情報の配信・収集方法を提供する。【解決手段】発信端末から受信端末に対してアドレス情報取得コマンドを送出するステップと、前記受信端末において、前記アドレス情報取得コマンドに付加された前記発信端末のグループ識別子を含むアドレス情報を当該受信端末のアドレス帳に登録するステップと、前記受信端末において、当該受信端末のアドレス帳の登録データに対して、前記発信端末のアドレス情報に含まれるグループ識別子と同一のグループ識別子を含むアドレス情報を検索し、前記発信端末に送信するステップと、前記発信端末において、前記受信端末から受信した発信端末のグループ識別子と同一のグループ識別子を含むアドレス情報を当該発信端末のアドレス帳に登録するステップとを含むアドレス情報の配信・収集方法。【選択図】図２
2005277974.tif 000002
【特許請求の範囲】
【請求項１】
発信端末から受信端末に対してアドレス情報取得コマンドを送出するステップと、
前記受信端末において、前記アドレス情報取得コマンドに付加された前記発信端末のグループ識別子を含むアドレス情報を当該受信端末のアドレス帳に登録するステップと、
前記受信端末において、当該受信端末のアドレス帳の登録データに対して、前記発信端末のアドレス情報に含まれるグループ識別子と同一のグループ識別子を含むアドレス情報を検索するステップと、
前記検索で得られた同一のグループ識別子を含むアドレス情報を、前記発信端末に送信するステップと、
前記発信端末において、前記受信端末から受信した発信端末のグループ識別子と同一のグループ識別子を含むアドレス情報を当該発信端末のアドレス帳に登録するステップと、
を含むことを特徴とするアドレス情報の配信・収集方法。
【請求項２】
前記アドレス情報には、前記グループ識別子の外に、少なくとも名前と、電話番号又はメールアドレスを含むことを特徴とする請求項１に記載のアドレス情報の配信・収集方法。
【請求項３】
前記アドレス情報には、当該アドレス情報の更新時間情報を付加し、受信したアドレス情報が前記発信端末のアドレス帳で重複する際に、更新時間の新しいアドレス情報を優先して登録するステップを含むことを特徴とする請求項２に記載のアドレス情報の配信・収集方法。
【請求項４】
前記アドレス情報を検索するステップで、同一のグループ識別子を含むアドレス情報を検索できた場合に、当該受信端末の所有者の選択に応じて、検索されたアドレス情報の送信を拒否するステップを、含むことを特徴とする請求項１に記載のアドレス情報の配信・収集方法。
【請求項５】
前記アドレス情報取得コマンドは、前記発信端末から前記受信端末への通信接続要求に含まれていることを特徴とする請求項１に記載のアドレス情報の配信・収集方法。
【請求項６】
発信端末として動作する際に、受信端末に対してアドレス情報取得コマンドを送出する手順と、
前記受信端末として動作する際に、前記アドレス情報取得コマンドに付加された前記発信端末のグループ識別子を含むアドレス情報を当該受信端末のアドレス帳に登録する手順と、
前記受信端末として動作する際に、当該受信端末のアドレス帳の登録データに対して、前記発信端末のアドレス情報に含まれるグループ識別子と同一のグループ識別子を含むアドレス情報を検索する手順と、
前記検索で得られた同一のグループ識別子を含むアドレス情報を、前記発信端末に送信する手順と、
前記発信端末として動作する際に、前記受信端末から受信した前記発信端末のグループ識別子と同一のグループ識別子を含むアドレス情報を当該発信端末のアドレス帳に登録する手順と、
を送受信端末に搭載されたコンピュータに実行させることを特徴とするアドレス情報配信・収集プログラム。
【請求項７】
発信端末として動作する際に、受信端末に対してアドレス情報取得コマンドを送出するアドレス情報取得コマンド送出手段と、
前記受信端末として動作する際に、前記アドレス情報取得コマンドに付加された前記発信端末のグループ識別子を含むアドレス情報を当該受信端末のアドレス帳に登録する第１の登録手段と、
前記受信端末として動作する際に、当該受信端末のアドレス帳の登録データに対して、前記発信端末のアドレス情報に含まれるグループ識別子と同一のグループ識別子を含むアドレス情報を検索する検索手段と、
前記検索で得られた同一のグループ識別子を含むアドレス情報を、前記発信端末に送信するアドレス情報送信手段と、
前記発信端末として動作する際に、前記受信端末から受信した発信端末のグループ識別子と同一のグループ識別子を含むアドレス情報を当該発信端末のアドレス帳に登録する第２の登録手段と、
を備えることを特徴とする送受信端末。
【発明の詳細な説明】
【技術分野】
【０００１】
本発明は、同じグループ識別子を有する端末相互間で電話番号等の宛先情報を自動的に交換できるようにして、同じグループ識別子を有する仲間の電話番号等の宛先情報の収集が個々の端末の通信に伴って自動的に実行されるシステムに関する。
【背景技術】
【０００２】
携帯電話（端末）における電話帳（宛先情報）の取得の１例としては、携帯電話ショップ等における機種変更等に利用される既存端末の宛先情報を新しい機種端末にコピーするものが知られている。
また、交換機（サーバ）を介してアドレス情報を交換する技術としては以下のものが知られている。（特許文献１参照）
【０００３】
上記刊行物に記載の技術は、図８に示す如く、既に登録済の電話番号情報を持つ端末６８から、その電話番号情報を別の端末７０に転送し、端末７０における情報を更新する実施例である。同図中、端末６８は基地局７２に向けて情報を送り、交換機７４及び基地局７６を介して端末７０に情報が送られる。
【０００４】
図８の動作を図９のフローチャートを用いて説明する。
なお、端末間における情報要求の方法として、呼設定メッセージあるいは回線接続完了までの間に要求及び電話番号情報の送受信を行う方法、データを通信可能状態にしてから送受信する方法があるが、本実施例においてはデータを通信可能状態にしてから送受信する例を示している。
【０００５】
端末６８においてステップ３０として電源ＯＮされ、ステップ３１として発呼信号が交換機７４に送信される。
交換機７４において、ステップ３２として発呼信号を受信し、ステップ３３として受信した信号を分析し、ステップ３４として電話番号翻訳により、ステップ３５として呼び出し信号を端末７０へ送信する。
端末７０において、電源はＯＮとされており、ステップ３６として呼び出し信号を受信し、ステップ３７として応答信号を交換機７４に送信する。
交換機７４は、ステップ３８として応答信号を受信すると、ステップ３９として発呼受け付け信号を端末６８に送信することにより、ステップ４０として回線接続される。すなわち通信可能状態になる。
以上は、従来通りの呼接続処理と同様である。
【０００６】
次に、端末６８がステップ４１として発呼受付信号を受信すると、ステップ４２として登録電話番号情報データを収集し、ステップ４３として登録電話番号情報データを交換機７４に送信し、交換機７４においステップ４４として登録電話番号情報データを受信し、ステップ４５として登録電話番号情報データを端末７０に送信する。
端末７０においてステップ４６として登録電話番号情報データを受信し、ステップ４７として電番リスト更新制御部７６において、電話番号情報を更新し、ステップ４８として更新終了信号を交換機７４に送り、交換機７４ではステップ４９として更新終了信号を受信すると、ステップ５０として、転送終了信号を端末６８に送信する。
端末６８では、ステップ５１として転送終了信号を受信すると、呼切断処理を行い電源をＯＦＦにする。
端末７０においては、ステップ４８の後に呼切断処理を行い、電源をＯＦＦとする。
【０００７】
また、インターネットを利用したものとしては、以下の技術が知られている。（特許文献２参照）
上記刊行物には、以下の技術が記載されている。
「個人情報が登録されているアドレス帳、例えば携帯電話のアドレス帳を、インターネットに接続できる機能をもった携帯電話やパーソナルコンピュータ、ＰＤＡ端末などにて動作するＨＴＴＰ、ＪＡＶＡ（登録商標）、専用アプリケーションから登録修正削除ができ、インターネットに接続できる機能をもった携帯電話やパーソナルコンピュータ、ＰＤＡ端末などにて使用する事ができるシステム。」
上記システムによって、携帯電話を所有している人が個人情報の変更を行った場合、携帯電話を所有している人のＩＤより、アドレス帳ＤＢを検索し、携帯電話を所有している人のアドレス帳に登録され、なおかつ携帯電話を所有している人の情報を登録している携帯電話２０の所有者が一覧表示される。
この時、携帯電話を所有している人が別の携帯電話を所有している人のアドレス帳を更新するかを判断し、更新することができる。
例えば、携帯電話を所有している人の電話番号が変更になった場合に、別の携帯電話を所有している人のアドレス帳に登録されている情報変更に許可すれば、別の携帯電話を所有している人は携帯電話を所有している人の電話番号が変わったことを知らなくても、電話をかける事ができる。
【特許文献１】特開２０００−１３４３１０号公報（図１０，１２（００４６）〜（００４８））
【特許文献２】特開２００３−２４４３０８号公報（請求項１，（０００７））
【発明の開示】
【発明が解決しようとする課題】
【０００８】
しかし、上記第１の方法は、既存端末のアドレス情報を新しい機種端末にコピーするもので、全てのアドレス情報（データ）をコピーするものであるため、不必要なデータやコピーされては困るデータをコピーしてしまうという問題があった。
また、コピーするためには同じ場所に端末が存在する必要があるため、離れた場所にいる複数の人間が保有する端末間でアドレス情報を共有するのが困難であった。
【０００９】
また、第２の方法では、交換機（通信網）を介して端末相互間でアドレス情報をコピーする（重複データに関しては更新する）もので、離れた場所の端末間でもアドレス情報の交換が可能が可能ではあるが、交換機（サーバ）を必要とする点及び不必要なデータやコピーされては困るデータをコピーしてしまうという問題は残っている。
【００１０】
さらに、第３の方法では、インターネット上に構築されたサーバのアドレス帳を共有することで、自己の共有させたいデータ（宛先情報）を特定のグループに属するメンバーに提供することは可能であるが、サーバによる集中管理が必要になりサーバの設置・維持運用（セキュリティ対策を含む）のコストが掛かるという問題がある。
また、インターネット上に構築されたサーバのアドレス帳に個人情報を登録しておくため、登録された個人情報を未知の第三者に知られてしまうかもしれないという不安感が働くこともある。
【００１１】
本発明が解消しようとする課題としては、同じグループ識別子を有する端末相互間で電話番号等のアドレス情報を自動的に交換できるようにして、同じグループ識別子を有する仲間の電話番号等のアドレス情報の配信・収集が個々の端末の通信に伴って自動的に実行されるシステムを提供することが一例として挙げられる。
【課題を解決するための手段】
【００１２】
前記課題を解決するために、請求項１に記載のアドレス情報の配信・収集方法では、発信端末から受信端末に対してアドレス情報取得コマンドを送出するステップと、前記受信端末において、前記アドレス情報取得コマンドに付加された前記発信端末のグループ識別子を含むアドレス情報を当該受信端末のアドレス帳に登録するステップと、前記受信端末において、当該受信端末のアドレス帳の登録データに対して、前記発信端末のアドレス情報に含まれるグループ識別子と同一のグループ識別子を含むアドレス情報を検索するステップと、前記検索で得られた同一のグループ識別子を含むアドレス情報を、前記発信端末に送信するステップと、前記発信端末において、前記受信端末から受信した発信端末のグループ識別子と同一のグループ識別子を含むアドレス情報を当該発信端末のアドレス帳に登録するステップとを含むことを特徴とする。
【００１３】
請求項６に記載のアドレス情報配信・収集プログラムでは、発信端末として動作する際に、受信端末に対してアドレス情報取得コマンドを送出する手順と、前記受信端末として動作する際に、前記アドレス情報取得コマンドに付加された前記発信端末のグループ識別子を含むアドレス情報を当該受信端末のアドレス帳に登録する手順と、前記受信端末として動作する際に、当該受信端末のアドレス帳の登録データに対して、前記発信端末のアドレス情報に含まれるグループ識別子と同一のグループ識別子を含むアドレス情報を検索する手順と、前記検索で得られた同一のグループ識別子を含むアドレス情報を、前記発信端末に送信する手順と、前記発信端末として動作する際に、前記受信端末から受信した前記発信端末のグループ識別子と同一のグループ識別子を含むアドレス情報を当該発信端末のアドレス帳に登録する手順とを送受信端末に搭載されたコンピュータに実行させることを特徴とする。
【００１４】
請求項７に記載の送受信端末では、発信端末として動作する際に、受信端末に対してアドレス情報取得コマンドを送出するアドレス情報取得コマンド送出手段と、前記受信端末として動作する際に、前記アドレス情報取得コマンドに付加された前記発信端末のグループ識別子を含むアドレス情報を当該受信端末のアドレス帳に登録する第１の登録手段と、前記受信端末として動作する際に、当該受信端末のアドレス帳の登録データに対して、前記発信端末のアドレス情報に含まれるグループ識別子と同一のグループ識別子を含むアドレス情報を検索する検索手段と、前記検索で得られた同一のグループ識別子を含むアドレス情報を、前記発信端末に送信するアドレス情報送信手段と、前記発信端末として動作する際に、前記受信端末から受信した発信端末のグループ識別子と同一のグループ識別子を含むアドレス情報を当該発信端末のアドレス帳に登録する第２の登録手段とを備えることを特徴とする。
【発明を実施するための最良の形態】
【００１５】
以下、本発明の実施の形態について、図面を参照して詳細に説明する。
本発明の実施の形態の概要を説明するために、通信をする（Ａ）と（Ｅ）の２つの端末には通信手段とアドレス情報を格納する領域（アドレス帳）を搭載しているものとする。
図１に、ＡとＥのアドレス帳の例を示す。
ここで、本発明におけるアドレス情報とは次のような構成とする。
・主キーとなる情報（主キー）  ：  名前など
・通信先情報（アドレス）      ：  携帯電話番号、メールアドレス、IPアドレスなど
・アドレス情報共有用のグループ識別子（以下、識別子という）  ：  アドレス情報共有を自動的に行うために用いる識別子（秘密のパスワードでも良い）
図１のアドレス帳には、それぞれ自己情報と他のアドレス（Ａのアドレス帳にはＢ，Ｃ，Ｄ、Ｅのアドレス帳にはＦ，Ｇ，Ｈ）が保存されている。
【００１６】
図１のアドレス帳を搭載した端末相互(ＰｔｏＰ)で通信する場合のアドレス帳の内容の変化について図２を用いて説明する。
・先ず、Ｅの端末からＡの端末に通信接続を要求する。(S1)
・そして、通信接続する際（通信接続後でも可）、発信端末Ｅはアドレス情報取得要求という通信コマンド（アドレス情報要求コマンド）を送信する。
このアドレス情報取得要求には発信端末Ｅの主キー（名前）、アドレス、識別子が含まれる。
・アドレス情報取得要求を受信した受信端末Ａは、コマンドに含まれる発信端末Ｅの主キー（名前）、アドレス、識別子を自己のアドレス帳に登録する。(S2)
・受信端末Ａは登録後、発信端末Ｅのアドレス以外の発信端末Ｅと同じ識別子（ZZZ）をもつアドレスを自己のアドレス帳から検索する。(S3)
・検索の結果、発信端末Ｅと同じ識別子（ZZZ）と同じ識別子を含むアドレスを発見する。
【００１７】
・検索の結果、発信端末Ｅと同じ識別子（ZZZ）と同じ識別子を含むアドレス情報を発見した場合を図３を用いて説明する。
・受信端末Ａは発信端末Ｅにアドレス情報取得応答として該アドレス情報Ｄを送信する。(S4)
送信するアドレス情報には、主キー（名前）、アドレス、識別子が含まれる。
・アドレス情報取得応答を受信した発信端末Ｅは、それに含まれる受信端末Ｄの主キー（名前）、アドレス、識別子を自己のアドレス帳に登録する。(S5)
・同様の手順で端末Aからアドレス情報取得要求を端末Eに送信する(S6)ことで、端末Ａのアドレス情報を端末Ｅのアドレス帳に登録する。(S7)
【００１８】
以下の手順を図４を用いて説明する。
・端末Ｅでは端末A以外の端末Ａと同じ識別子を持つアドレスを自己のアドレス帳で検索（S8）して、該当するアドレスがあればアドレス情報取得応答として、端末Ａにこれを送信する。(S9)
・端末Ａでは受信したアドレス情報取得応答であるアドレス情報Ｆを端末Ａのアドレス帳に登録する。(S10)
【００１９】
上記手順で、端末Aは、接続先の端末E及び自己の属する識別子を有する端末Fのアドレス情報を自動的に取得できることになる。また、端末Ｅは、接続先の端末A及び自己の属する識別子を有する端末Ｄのアドレス情報を自動的に取得できたことになる。
このアドレス情報の取得方法では、直接通信をしたことがない相手のアドレス情報（上記の例では、端末Ａは端末Ｆのアドレス情報を、端末Ｅは端末Dのアドレス情報）が取得できる。
同時に、端末Ａ及び端末Ｅは、それぞれ自己アドレス情報を通信相手のアドレス帳に登録させて、自己のアドレス情報を自動的に普及させることもできる。
さらに、直接には通信接続していない（通信先アドレスを知らない）端末にも同じ識別子であればアドレス情報を共有させることも可能になる。
【００２０】
その状態を模式したのが図５である。
図５の上段の状態では、端末Ｂと端末Ｃは共通の識別子（ＤＤＤ）を有しているが、相互には通信した事がないため、それぞれのアドレス帳には相手のアドレス情報が登録されていない。
この状態で、端末Ｂから端末Ａに対して通信接続がなされると、端末Ｂのアドレス情報が端末Ａのアドレス帳に登録される。
【００２１】
この状態で、図５の下段の如く、端末Ａから端末Ｃに対して通信接続がなされて端末Ｃのアドレス帳に端末Ａのアドレス情報が登録される。
その後、端末Ｃから端末Ａに対してアドレス情報取得要求（コマンド）が送信されると、端末Ａのアドレス帳に対して端末Ｃの識別子（ＤＤＤ）と同じ識別子を有するアドレス情報の検索が実行されて、その検索結果である端末Ｂのアドレス情報が端末Ｃに送信されて端末Ｃのアドレス帳に登録される。
【００２２】
次に、本発明の別の実施の形態について、図６を用いて説明する。
図６の例では、アドレス帳に登録されるアドレス情報に当該アドレスの更新時間情報を持たせることによって、重複しているアドレス情報に対して、より新しい更新時間のアドレス情報を優先させるものである。
【００２３】
図６の上段では、端末Ａのアドレス帳が２００４／１／１から２００４／１／２に更新された状態を示している。
図６の上段左の、端末Ａのアドレス情報の内のアドレスが「０９０−１１１１−１１１１」から２００４／１／２には上段右の「０９０−１１１１−５５５５」に更新されている。
【００２４】
この状態で、端末Ａから端末Ｃに対して通信接続がなされると、端末Ｃのアドレス帳には端末Ａのアドレス情報（２００４／１／２に更新）が中段右に示す如く登録される。
しかし、この時点では、端末Ｂのアドレス帳に登録された端末Ａのアドレス情報は、中段左に示す如く、更新前のアドレス情報である。
【００２５】
その後、端末Ｂと端末Ｃが通信接続した際に、端末Ｂのアドレス情報が端末Ｃのアドレス帳に登録されると共に、端末Ｂからのアドレス情報取得要求に応じて、端末Ｃから送信された端末Ａのアドレス情報が下段右に示す如く端末Ｂに登録されることになるが、この場合には、更新時間情報を参照して、より更新時間の新しい情報が優先されて下段左に示す様に登録される。
【００２６】
なお、図６では、更新時間として、日付で示されているが、より詳細な単位までの情報を保持することが望ましい。
【００２７】
上記説明では、通信接続をした際には、自動的にアドレス情報が共有（登録・取得）される構成として説明をしているが、アドレスの共有を望まない利用者もいるので、アドレス情報取得要求に対して識別子が一致した情報があった場合にも、アドレス情報を共有させない（拒否する）機能を追加することも可能である。
【００２８】
上記説明では、アドレス情報として、名前、アドレス、識別子及び更新時間のデータが示されているが、アドレス情報に上記以外のデータ（例えば、住所や生年月日等の個人情報、その他の情報）を付加することも可能である。
また、アドレス情報（特に、識別子）に暗号化を組み込ませることでよりセキュリティ性を高めることも可能である。
【００２９】
上述の如く、本発明の適用される端末としては、携帯電話（固定電話も可）、ＩＰ電話、ＦＡＸ等の電話のみならず、ＰｔｏＰ型のメールのみならず、ＩＰアドレスを使ったＰｔｏＰ接続を行う通信端末機器（例えば、ＴＶ会議、音声会議、データ会議、 チャット）にも利用が可能である。
【００３０】
図１〜６の説明では、アドレスが電話番号である端末相互の場合を例として説明しているが、本発明の思想をＰｔｏＰ型のメール等にも適用できる。
その例を図７を用いて説明する。
図７に示す如く、Ａの端末からＢの端末に通信接続する際において、Ａの端末からＢの端末にメールを送る際、Ａの端末のアドレス帳内にあるＢの識別子（ＺＺＺ）を持つアドレス情報を付加情報として送信する。（合わせてAのアドレス情報も送る。）(S1)
付加情報としてアドレス情報を受け取ったＢの端末は自己のアドレス帳にそのアドレス情報を自動登録する。
なお、アドレス情報に、図６の如きアドレス更新時間を含ませることも可能である。
【図面の簡単な説明】
【００３１】
【図１】本発明の実施の形態が適用される端末のアドレス帳の例を示す図である。
【図２】本発明の実施の形態が適用される端末相互で通信する場合のアドレス帳の内容の変化を説明する第１の図である。
【図３】本発明の実施の形態が適用される端末相互で通信する場合のアドレス帳の内容の変化を説明する第２の図である。
【図４】本発明の実施の形態が適用される端末相互で通信する場合のアドレス帳の内容の変化を説明する第３の図である。
【図５】本発明の実施の形態が適用される端末で直接通信をしたことがない相手の端末にアドレス情報を配信できることを説明する図である。
【図６】本発明の別の実施の形態が適用される端末のアドレス帳のデータ内容を示す図である。
【図７】本発明の実施の形態が適用される端末相互でＰｔｏＰ型のメールの交換を行う場合のアドレス情報の送信を説明する図である。
【図８】従来の登録済の電話番号情報を持つ端末から、別の端末に転送電話番号情報を転送する例を示す図である。
【図９】図８の従来の動作を説明するためのフローチャートである。
【図１】
2005277974.tif 000003
【図２】
2005277974.tif 000004
【図３】
2005277974.tif 000005
【図４】
2005277974.tif 000006
【図５】
2005277974.tif 000007
【図６】
2005277974.tif 000008
【図７】
2005277974.tif 000009
【図８】
2005277974.tif 000010
【図９】
2005277974.tif 000011